【事件の表示】
　平成１１年特許願第　２４８６４号「プリンタ制御装置及びプリントシステム」拒絶査定不服審判事件〔平成１１年１１月１６日出願公開、特開平１１−３１４４０８〕について、次のとおり審決する。
【結　論】
　本件審判の請求は、成り立たない。
【理　由】
１．手続の経緯 
 　本願は、平成１１年２月２日（優先権主張　平成１０年２月２４日）の出願であって、平成１７年１１月１７日付で拒絶査定がなされ、これに対して、同年１２月２１日に拒絶査定に対する審判請求がなされるとともに、平成１８年１月１９日付で手続補正（以下、「本件補正」という。）がなされたものである。
　
２．平成１８年１月１９日付けの手続補正についての補正却下の決定  
［補正却下の決定の結論］  
 　平成１８年１月１９日付の明細書についての手続補正を却下する。  
［理由］
（１）本件補正の内容
　本件補正は、特許請求の範囲の請求項１の補正であり、本件補正により、特許請求の範囲（請求項数３）の請求項１は、
「ホスト装置から送信された上位形式のラスタイメージデータを入力するためのホストインタフェース部と、
　前記入力された上位形式ラスタイメージデータを下位形式ラスタイメージデータに変換するイメージ変換部と、
　前記印刷機構を制御するためのバックエンドパラメータに基づいて決定される印刷ヘッドの１パス分の仕様であって、前記印刷ヘッドの各ドット形成素子に何番目のラスタのどのドットを打たせるかを指定する仕様を入力し、前記下位形式ラスタイメージデータから該仕様により指定されるドットのラスタデータを取得する位置管理部と
を備え、前記ホスト装置と、前記位置管理部によって処理されたラスタデータに基づいて印刷画像を形成する前記印刷ヘッドを含む印刷機構と、の間に設けられ、ハードウェア回路からなる制御装置。」から、
「ホスト装置から送信された上位形式のラスタイメージデータを入力するためのホストインタフェース部と、
　前記入力された上位形式ラスタイメージデータを下位形式ラスタイメージデータに変換するイメージ変換部と、
　
印刷ヘッドを含んだ
前記ホスト装置が指定したインタレース印刷又はオーバーラップ印刷を行うときのパス数を示す
を備え、前記ホスト装置と、前記位置管理部によって処理されたラスタデータに基づいて印刷画像を形成する前記印刷ヘッドを含む印刷機構と、の間に設けられ、ハードウェア回路からなる制御装置。」
と補正された。（下線は補正個所を示している。）
　なお、補正後の特許請求の範囲の請求項１には、「仕様を入力し」という記載があり、「位置管理部が仕様を入力する」とはどういうことなのか日本語として不明瞭なので、発明の詳細な説明の段落【００５８】等の記載を参酌して、「位置管理部が仕様を決定する」ことを意味していると解釈することとする。
　
（２）補正目的
　本件補正には、特許請求の範囲の補正として以下の補正事項が含まれる。
Ａ．補正前の請求項１に記載の「前記印刷機構」を、「印刷ヘッドを含んだ印刷機構」とする補正。
Ｂ．補正前の請求項１に記載の「印刷機構を制御するための、バックエンドパラメータ」について、「印刷機構を制御するための、前記ホスト装置が指定したインタレース印刷又はオーバーラップ印刷を行うときのパス数を示すバックエンドパラメータ」とする補正。
Ｃ．補正前の請求項１に記載の「印刷ヘッド」を「前記印刷ヘッド」とする補正。
　補正事項Ａの、「前記」を削除する補正は、補正前の請求項１の「前記」が誤記であったので、平成１８年改正前特許法第１７条の２第４項第３号の誤記の訂正を目的とするものに該当し、補正前の請求項１に記載した発明を特定するために必要な事項の構成要件である「印刷機構」について、「印刷ヘッドを含んだ印刷機構」と限定しており、平成１８年改正前特許法第１７条の２第４項第２号の特許請求の範囲の減縮を目的とするものに該当する。
　補正事項Ｂは、補正前の請求項１に記載の「印刷機構を制御するための、バックエンドパラメータ」について、「印刷機構を制御するための、前記ホスト装置が指定したインタレース印刷又はオーバーラップ印刷を行うときのパス数を示すバックエンドパラメータ」と限定しており、平成１８年改正前特許法第１７条の２第４項第２号の特許請求の範囲の減縮を目的とするものに該当する。
　補正事項Ｃは、補正事項Ａの「印刷機構」を「印刷ヘッドを含んだ印刷機構」と限定する補正にともない、「印刷ヘッド」の前に「前記」を追加した補正であり、補正前後の請求項の技術的事項を実質的に変更するものではない。
　そこで、本件補正後の請求項１に記載された発明（以下、「本願補正発明」という。）が特許出願の際独立して特許を受けることができるものであるか（平成１８年改正前特許法第１７条の２第５項において準用する同法第１２６条第５項の規定に適合するか）について以下に検討するが、
　本願の発明の詳細な説明の欄にはいくつかの実施形態が記載されているので、本願補正発明と実施形態との対応関係について確認しておく。
　本願補正発明が「ハードウェア回路からなる制御装置」であるのに対して、発明の詳細な説明の段落【００６８】〜【００７８】に記載される実施形態は制御装置をハードウェア回路とマイクロコンピュータで構成しており、少なくとも、段落【００６８】〜【００７８】に記載の実施形態が本願補正発明に含まれるとは解釈できないので、その前提で、以下検討することとする。
　
（３）引用刊行物
　（ａ）原査定の拒絶の理由に引用された特開平９−２７９１５号公報（以下、「刊行物１」という。）には、以下の記載が図示とともにある。
ア．「本発明はカラー画像情報を出力する画像処理装置及び方法に関し、特に入力画像データに対して色変換を行う画像処理装置及び方法に関するものである。」（段落【０００１】）
イ．「図１において、１は本実施形態であるところの色信号変換装置、２はホストコンピュータや端末装置といった外部装置であり、３は本画像処理装置からの出力データに基づき出力画像を形成する出力装置である。
　色信号変換装置１において、入力部１１はホストコンピュータ２から転送されるデータを受信する。解析部１２は、入力部１１での入力データを、後述する展開部１３で使用する中間形式のデータの生成を行うために解析する。展開部１３は、解析部１２によって作成された中間形式データに従って様々な処理を行い、後述する出力部が出力する際に用いる出力データに変換する。」（段落【００２１】、【００２２】）
ウ．「本実施形態において出力装置３はインクジェットプリンタである。出力部１７において、出力データは１頁分のビットマップ形式のデータであり、ＣＭＹＫ４色様にそれぞれ用意される。出力部１７では出力データを出力装置３へ送出し」（段落【００２３】）
エ．「図２において、まずステップＳ２０で入力部１１によってホストコンピュータ２より１頁分のデータを入力する。この時の入力データは、文字コードや文字フォントの種類の指定といったテキストオブジェクトに関するコマンド、またはフルカラーのイメージデータのコマンドやそのデータ部分といったイメージオブジェクトに関するコマンド、またはグラフィクスの種類や開始、終了の指定といったグラフィクスオブジェクトに関するコマンド、さらにそれらの各オブジェクトの色指定を行うためのコマンドといった、様々な出力画像の内容を指定するコマンドデータからなる。コマンド列は通常複数バイトから構成され、先頭バイトによりコマンドの種別を指定し、続く数バイトをパラメータとして記述する」（段落【００２６】）
オ．「ここでイメージデータとは１画素２４ビット（ＲＧＢ各８ビット）
即ち１６万色以上のフルカラーデータを示す。」（段落【００２９】）
カ．「ステップＳ４３では前述の通りＣＭＹＫ多値データを出力用の２値データに変換する。なおこれらのカラー処理、グレー処理は処理速度を上げるために計算結果を予めテーブル化しておき、色処理格納部１６に格納しておく。
　このようにしてステップＳ２４における画像の展開・色処理が終了したなら、次にステップＳ２５において、ステップＳ２４で作成された１頁分のビットマップデータの出力を行う。出力は出力部１７により、該ビットマップデータを出力装置３が出力する際に適した形態のデータに変換し、出力装置３へ転送することにより行う。出力装置３では該データに基づいて画像形成を行い、１頁分の出力を行う。」（段落【００３８】、【００３９】）
　上記記載及び図面を含む刊行物１全体の記載から、刊行物１には、以下の発明が開示されていると認められる。
「ホストコンピュータ２から転送されるフルカラーのイメージデータを受信する入力部１１と、
　前記入力されたフルカラーのイメージデータを解析して中間形式のデータの生成を行う解析部１２と、
　解析部１２によって作成された中間形式データに従って様々な処理を行い、出力用のＣＭＹＫ２値データに変換する展開部と、
　前記ＣＭＹＫ２値データを出力装置３が出力する際に適した形態のデータに変換し、出力装置３へ転送する出力部と、
を備え、前記ホストコンピュータと、前記出力部によって変換されたデータに基づいて印刷画像を形成する出力装置であるインクジェットプリンタと、の間に設けられた画像処理装置」
　
　（ｂ）特開平７−３１９６４４号公報（以下、「刊行物２」という。）には、以下の記載が図示とともにある。
ク．「【課題を解決するための手段】本発明の記録装置に対するデータ供給方式は、ｋとｎが互いに素である整数として、副走査方向に並ぶＮ個の記録素子中から予め選択したｋドット間隔の記録素子のみに対し主走査中に記録データを与えるよう、それら選択した記録素子のみに対応する記録データを記録装置に供給するデータ供給手段と、主走査とｎドット分の副走査とを交互に行うための制御命令を記録装置に供給する制御命令供給手段とを備えることを特徴とする。」（段落【０００９】）
ケ．「【実施例】図１は、本発明が適用されるインクジェット方式のプリンタの一実施例における、記録ヘッドと用紙との位置関係を示す。
　図１において、記録ヘッド１は、副走査方向（矢印Ｙ）に配列されたＮ個の記録素子（インクノズル）５1〜５Nを有する。記録素子５1〜５Nは、１ドットの間隔で、つまり、互いに密接して隙間なく配列されている。
　記録ヘッド１は、用紙３に対して主走査方向（矢印Ｘ）に移動しつつ、用紙３の記録素子５1〜５Nがカバーする短冊状の領域にドットのパターンを印刷する。１回の主走査が終わると、用紙３は副走査方向に１ドット分の距離を単位として必要なドット数分だけ送られる。以上の動作が、用紙３の記録すべき領域をすべてカバーするまで繰り返し行われる。
　図示してないが、このプリンタは外部のホストコンピュータ（以下、「ホスト」と略称する）と接続され、ホストから入力されるデータやコマンドに従って、記録ヘッド１の主走査のどの位置で記録素子５1〜５Nのどれを駆動し、また、用紙の送り量を何ドットにするか、等の動作を制御する。このホストからの入力情報に基づくプリンタ内での制御については、本発明の本質に関係なく、しかも公知の技術であるため、本明細書では格別の説明はしない。」（段落【００１２】〜【００１５】）
コ．「図２において、黒丸で示された記録素子５1、５5、…は、インターレース記録で使用する目的で、全記録素子５1〜５Nの中から一定間隔で選択された記録素子（以下、「選択記録素子」という）を指し、選択記録素子以外の白四角で示された記録素子５2、５3、５4、５6、…は、インターレース記録では使用されない記録素子（以下、「非選択記録素子」という）を指す。一般に、各記録素子の間隔をＰドット、各選択記録素子の間隔をｋドット、選択記録素子の総個数をｎ個、ｍを１以上の整数とした場合、Ｎ個の記録素子の中から、
　　　　ｋ＝ｍＰ　　　　　　　　　　…(1)
　　　　ｋとｎは互いに素である整数　…(2)
なる条件(1)、(2)を満たすように、ホストがプリンタの機種（つまり、ＮとＰ）に応じて選択記録素子を決定する。図２の例では、Ｎ＝２４、Ｐ＝１のプリンタに対して、ｍ＝４、ｎ＝５、ｋ＝４なる条件で選択記録素子が決定されている。」（段落【００１８】）
サ．「図２において、各記録素子５1〜５Nの右側には、１回の主走査により各記録素子５1〜５Nがカバーする用紙３の領域（以下、「ライン」という）Ｌ1〜ＬNが示されている。また、各ラインＬ1〜ＬNの右側には、各ラインＬ1〜ＬNに記録されるべきドットパターンを表わしたデータ列（以下、「データラスタ」という）ＤＲ1〜ＤＲNが示されている。
　データラスタＤＲ1〜ＤＲNはホスト内のＲＡＭに蓄積されている。ここで、各データラスタＤＲ1〜ＤＲNの先頭アドレスをＲ1〜ＲNで表わすこととする。」（段落【００２０】、【００２１】）
シ．「次に、図７に示される、第２回目以降の主走査による第２領域へのインターレース記録のためのデータ処理に入る。
　まず、ＲＰＴＲにＢＰＴＲをセットし（Ｓ１６）、ＲＰＴＲに対応する位置が第２領域内か否かをチェックする（Ｓ１７）。第２領域内であればＲＰＴＲで示されるデータラスタを出力し（Ｓ１８）、第２領域外であればダミーラスタを出力する（Ｓ１９）。これにより、最初の選択記録素子５1に関するデータ処理が終了する。
　次に、ダミーラスタを（ｋ−１）回繰り返し出力する（Ｓ２０）。これにより、最初の選択記録素子５1に続く（ｋ−１）個の非選択素子に関するデータ処理が終了する。
　次に、ＲＰＴＲにｋを加算してこれを更新する（Ｓ２１）。そして、以上のステップＳ１７〜Ｓ２１をｎ回繰り返す。これにより、最後のｎ番目の選択記録素子とこれに続く（ｋ−１）個の非選択記録素子までのデータ処理が完了する。
　次に、ダミーラスタを（Ｎ−ｎ×ｋ）回繰り返し出力する（Ｓ２２）。これにより、残りの（Ｎ−ｎ×ｋ）個の非選択記録素子に対するデータ処理が終了する。
　この後、ＢＰＴＲにｎを加算したアドレス値に対応する位置（つまり、次のｎドット分の副走査によりトップの記録素子５1が位置することになる位置）が第３領域内か否かをチェックし（Ｓ２３）、第３領域外（つまり、第２領域内）であれば、主走査命令を出力し（Ｓ２４）、そして、ｎドット分の副走査（用紙送り）命令を出力する（Ｓ２５）。」（段落【００５０】〜【００５５】）
ス．「【発明の効果】以上説明したように、本発明によれば、インターレース記録機能を持たない記録装置に対して、各主走査毎に記録データとダミーデータとを巧みに組合わせて送ると共に、主走査命令と特別のドット数の副走査命令とを交互に送ることにより、事実上インターレース記録を行うことを可能とし、」（段落【００８０】）
　上記記載及び図面を含む刊行物２全体の記載から、刊行物２には、以下の発明が開示されていると認められる。
「記録ヘッドを含んだ記録装置を制御するための、ホストがプリンタの機種に応じて決定した、インタレース印刷を行うときの選択記録素子の間隔（ｋドット）・選択記録素子の総個数（ｎ個）を含む条件に基づいて、ホスト内のＲＡＭに蓄積されているデータラスタをもとに、ｋとｎが互いに素である整数として、副走査方向に並ぶＮ個の記録素子中から予め選択したｋドット間隔のｎ個の選択記録素子のみに対し主走査中に記録データを与えるよう、それら選択した記録素子のみに対応する記録データを記録装置に供給するデータ供給手段を備えたホスト」
　
（４）対比
　本願補正発明と刊行物１記載の発明とを比較すると、刊行物１記載の発明の「ホストコンピュータ２」、「入力部１１」、「印刷画像を形成する出力装置であるインクジェットプリンタ」、「画像処理装置」は、それぞれ本願補正発明の「ホスト装置」、「ホストインタフェース部」、「ラスタデータに基づいて印刷画像を形成する前記印刷ヘッドを含む印刷機構」、「制御装置」に相当し、また、本願の発明の詳細な説明の欄（段落【０００９】）の、「上位形式ラスタイメージデータ（例えばフルカラーのＲＧＢラスタイメージデータ）・・・・下位形式ラスタイメージデータ（例えば２値又は複数値のＣＭＹＫラスタイメージデータ）」という記載を参酌すれば、刊行物１記載の発明の「フルカラーのイメージデータ」、「出力用のＣＭＹＫ２値データ」は、それぞれ本願補正発明の「上位形式のラスタイメージデータ」、「下位形式ラスタイメージデータ」に含まれており、刊行物１記載の発明の「前記入力されたフルカラーのイメージデータを解析して中間形式のデータの生成を行う解析部１２と、解析部１２によって作成された中間形式データに従って様々な処理を行い、出力用のＣＭＹＫ２値データに変換する展開部」と本願補正発明の「前記入力された上位形式ラスタイメージデータを下位形式ラスタイメージデータに変換するイメージ変換部」は、いずれも「ホスト装置から入力された上位形式ラスタイメージデータを下位形式ラスタイメージデータに変換している」点で共通し、その機能からそれを「イメージ変換部」と称することができるから、両者は、
「ホスト装置から送信された上位形式のラスタイメージデータを入力するためのホストインタフェース部と、
　前記入力された上位形式ラスタイメージデータを下位形式ラスタイメージデータに変換するイメージ変換部と、
を備え、前記ホスト装置と、ラスタデータに基づいて印刷画像を形成する前記印刷ヘッドを含む印刷機構と、の間に設けられた制御装置。」
の点で一致し、以下の点で相違している。
［相違点１］
　本願補正発明は、「印刷ヘッドを含んだ印刷機構を制御するための、前記ホスト装置が指定したインタレース印刷又はオーバーラップ印刷を行うときのパス数を示すバックエンドパラメータに基づいて決定される前記印刷ヘッドの１パス分の仕様であって、前記印刷ヘッドの各ドット形成素子に何番目のラスタのどのドットを打たせるかを指定する仕様を入力し、前記下位形式ラスタイメージデータから該仕様により指定されるドットのラスタデータを取得する位置管理部」を備えていると特定しているのに対し、刊行物１記載の発明は、本願補正発明のような位置管理部を備えているのかどうか定かでなく、前記特定を有しない点。
［相違点２］
　「制御装置」が、本願補正発明は、ハードウェア回路から構成されていることを特定しているのに対して、刊行物１記載の発明は、その点が明記されておらず、前記特定を有しない点
　
（５）判断
　上記相違点１について検討する。
　本願補正発明と刊行物２記載の発明とを比較すると、刊行物２記載の発明の、「記録ヘッド」、「記録装置」、「ホスト」は、それぞれ、本願補正発明の「印刷ヘッド」、「印刷機構」、「ホスト装置」に相当する。
　また、刊行物２記載の「ホスト内のＲＡＭに蓄積されているデータラスタ」は、各ラインＬ1〜ＬNに記録されるべきドットパターンを表わしたデータ列であるから（記載サ参照）、プリンタが必要とするイメージデータである、本願補正発明の「下位形式ラスタイメージデータ」に相当する。また、インターレース印刷を行うときの選択記録素子の間隔がｋドットであれば、各選択記録素子の間を完全に埋めるにはｋ回の主走査回数が必要であるから、刊行物２記載の「インタレース印刷を行うときの選択記録素子の間隔（ｋドット）」は、本願補正発明の「インタレース印刷を行うときのパス数」に相当する。そして、ホスト内のＲＡＭに蓄積されているデータラスタをもとに、ｋとｎが互いに素である整数として、副走査方向に並ぶＮ個の記録素子中から予め選択したｋドット間隔のｎ個の選択記録素子のみに対し主走査中に記録データを与えるよう、それら選択した記録素子のみに対応する記録データが作成されているから、この「記録データ」は、「ホスト装置が指定したインタレース印刷を行うときのパス数を示すバックエンドパラメータに基づいて決定される前記印刷ヘッドの１パス分の仕様であって、前記印刷ヘッドの各ドット形成素子に何番目のラスタのどのドットを打たせるかを指定する仕様を入力し、前記下位形式ラスタイメージデータから該仕様により指定されるドットのラスタデータ」ということができる。
　したがって、刊行物２記載の発明は、ホストではあるが、「印刷ヘッドを含んだ印刷機構を制御するための、前記ホスト装置が指定したインタレース印刷を行うときのパス数を示すバックエンドパラメータに基づいて決定される前記印刷ヘッドの１パス分の仕様であって、前記印刷ヘッドの各ドット形成素子に何番目のラスタのどのドットを打たせるかを指定する仕様を入力し、前記下位形式ラスタイメージデータから該仕様により指定されるドットのラスタデータを取得する位置管理部」と同等の構成を備えているものと認められる。
　刊行物１，２は、いずれもプリンタに送られるイメージデータの処理に関するものであるから、刊行物１記載の発明において得られる下位形式ラスタイメージデータから、さらにインターレース印刷用のラスタデータを取得するために刊行物２記載の構成を採用して本願補正発明の上記相違点１に係る構成とすることは当業者が容易になし得る程度のことである。
　上記相違点２について検討する。
　画像処理装置をハードウェア回路で実現することは、例えば、特開平９−２０５５５０号公報（段落【００１１】参照）等に記載されているように周知である。
　　したがって、上記相違点２に係る本願補正発明の構成は、刊行物１記載の発明に周知技術を単に適用することにより得られる構成といえる。
　
　そして、本願補正発明の作用効果も、刊行物１、２記載の発明及び周知技術から当業者が予測できる範囲のものである。
　
　したがって、本願補正発明は、その出願前に頒布された刊行物１、２記載の発明及び周知技術に基づいて、当業者が容易に発明をすることができたものであるから、特許法第２９条第２項の規定により特許出願の際独立して特許を受けることができないものである。
　
（６）むすび
　以上のとおり、本件補正は、平成１８年改正前特許法第１７条の２第５項において準用する同法第１２６条第５項の規定に違反するものであるから、同法第１５９条第１項の規定において読み替えて準用する同法第５３条第１項の規定により却下されるべきものである。
　
３．本願発明について
　平成１８年１月１９日付けの手続補正は上記のとおり却下されたので、本願の請求項１乃至３に係る発明は、平成１７年４月１日付け手続補正書の特許請求の範囲の請求項１乃至３に記載された事項により特定されるものであり、その請求項１に係る発明（以下、「本願発明」という。）は、以下のとおりである。
　
「ホスト装置から送信された上位形式のラスタイメージデータを入力するためのホストインタフェース部と、
　前記入力された上位形式ラスタイメージデータを下位形式ラスタイメージデータに変換するイメージ変換部と、
　前記印刷機構を制御するためのバックエンドパラメータに基づいて決定される印刷ヘッドの１パス分の仕様であって、前記印刷ヘッドの各ドット形成素子に何番目のラスタのどのドットを打たせるかを指定する仕様を入力し、前記下位形式ラスタイメージデータから該仕様により指定されるドットのラスタデータを取得する位置管理部と
を備え、前記ホスト装置と、前記位置管理部によって処理されたラスタデータに基づいて印刷画像を形成する前記印刷ヘッドを含む印刷機構と、の間に設けられ、ハードウェア回路からなる制御装置。」
　　なお、上記特許請求の範囲の請求項１には、「仕様を入力し」という記載があり、「位置管理部が仕様を入力する」とはどういうことなのか日本語として不明瞭なので、発明の詳細な説明の段落【００５８】等の記載を参酌して、「位置管理部が仕様を決定する」ことを意味していると解釈することとする。
　
（１）引用刊行物
　原査定の拒絶の理由に引用された刊行物１及びその記載事項は、前記「２．（３）」に記載したとおりである。
　
（２）対比
　本願発明と刊行物１記載の発明とを比較すると、刊行物１記載の発明の「ホストコンピュータ２」、「入力部１１」、「印刷画像を形成する出力装置であるインクジェットプリンタ」、「画像処理装置」は、それぞれ本願発明の「ホスト装置」、「ホストインタフェース部」、「ラスタデータに基づいて印刷画像を形成する前記印刷ヘッドを含む印刷機構」、「制御装置」に相当し、また、本願の発明の詳細な説明の欄（段落【０００９】）の、「上位形式ラスタイメージデータ（例えばフルカラーのＲＧＢラスタイメージデータ）・・・・下位形式ラスタイメージデータ（例えば２値又は複数値のＣＭＹＫラスタイメージデータ）」という記載を参酌すれば、刊行物１記載の発明の「フルカラーのイメージデータ」、「出力用のＣＭＹＫ２値データ」は、それぞれ本願発明の「上位形式のラスタイメージデータ」、「下位形式ラスタイメージデータ」の一つであり、刊行物１記載の発明の「前記入力されたフルカラーのイメージデータを解析して中間形式のデータの生成を行う解析部１２と、解析部１２によって作成された中間形式データに従って様々な処理を行い、出力用のＣＭＹＫ２値データに変換する展開部」と本願発明の「前記入力された上位形式ラスタイメージデータを下位形式ラスタイメージデータに変換するイメージ変換部」は、いずれも「ホスト装置から入力されたラスタイメージデータを出力用のラスタイメージデータに変換している」点で共通し、その機能からそれを「イメージ変換部」と称することができるから、両者は、
「ホスト装置から送信された上位形式のラスタイメージデータを入力するためのホストインタフェース部と、
　前記入力された上位形式ラスタイメージデータを下位形式ラスタイメージデータに変換するイメージ変換部と、
を備え、前記ホスト装置と、ラスタデータに基づいて印刷画像を形成する前記印刷ヘッドを含む印刷機構と、の間に設けられた制御装置。」
の点で一致し、以下の点で相違している。
［相違点１］
　本願発明は、「前記印刷機構を制御するための、バックエンドパラメータに基づいて決定される印刷ヘッドの１パス分の仕様であって、前記印刷ヘッドの各ドット形成素子に何番目のラスタのどのドットを打たせるかを指定する仕様を入力し、前記下位形式ラスタイメージデータから該仕様により指定されるドットのラスタデータを取得する位置管理部」を備えていると特定しているのに対し、刊行物１記載の発明は、本願発明のような位置管理部を備えているのかどうか定かでなく、前記特定を有しない点。
［相違点２］
　「制御装置」が、本願発明は、ハードウェア回路から構成されていることを特定しているのに対して、刊行物１記載の発明は、その点が明記されておらず前記特定を有しない点
　
（３）判断
　上記相違点１について検討する。
　ホストと接続されるプリンタにあっては、ホストから入力されるデータやコマンドに従って、記録ヘッドの主走査のどの位置で記録素子のどれを駆動し、また、用紙の送り量を何ドットにするか、等の動作を制御することは、周知の技術であって、記録ヘッドにデータが与えられる際には、当然、ホストで生成された、プリンタが必要とするイメージデータである下位形式ラスタイメージデータを、プリンタを制御する情報に基づいて、記録ヘッドのどの記録素子にどのラスタのどのドットを打たせるかを指定することで、記録ヘッド１パス分のラスタデータに変換してから与えられているはずである（必要であれば、特開平８−２７４９９２号公報（段落【００３８】参照）等参照）から、このような周知のプリンタシステムにあっては、ホスト側か、プリンタ側には、本願発明の、「前記印刷機構を制御するための、バックエンドパラメータに基づいて決定される印刷ヘッドの１パス分の仕様であって、前記印刷ヘッドの各ドット形成素子に何番目のラスタのどのドットを打たせるかを指定する仕様を入力し、前記下位形式ラスタイメージデータから該仕様により指定されるドットのラスタデータを取得する位置管理部」と同等の構成を備えているものと認められる。
　したがって、刊行物１記載の発明に上記周知の構成を単に適用して本願発明の上記相違点１に係る構成とすることは当業者が容易になし得る程度のことである。
　上記相違点２について検討する。
　画像処理装置をハードウェア回路で実現することは、例えば、特開平９−２０５５５０号公報（段落【００１１】参照）等に記載されているように周知である。
　　したがって、上記相違点２に係る本願発明の構成は、刊行物１記載の発明に周知技術を単に適用することにより得られる構成といえる。
　　そして、本願発明の作用効果も、刊行物１記載の発明及び周知技術から当業者が予測できる範囲のものである。
　
（４）むすび
　以上のとおり、本願発明は、その出願前に頒布された刊行物１記載の発明及び周知技術に基づいて、当業者が容易に発明をすることができたものであり、特許法第２９条第２項の規定により特許を受けることができないから、他の請求項に係る発明を検討するまでもなく、本願は、拒絶されるべきものである。
　よって、結論のとおり審決する。